(57)【要約】【課題】ユーザに与える違和感を低減することができる発光装置を提供する。【解決手段】光施療装置１０は、発光装置の一例であって、白色光源１１ｗと、青色光源１１ｂと、制御部１２とを備える。制御部１２は、白色光源１１ｗ及び青色光源１１ｂのそれぞれを一定の明るさで発光させる定常発光制御、並びに、定常発光制御の後に行われる減光制御であって、白色光源１１ｗ及び青色光源１１ｂのそれぞれを減光する減光制御を行う。制御部１２は、減光制御において、青色光源１１ｂを白色光源１１ｗよりも先に減光開始させ、かつ、青色光源１１ｂを、白色光源１１ｗと同時または白色光源１１ｗよりも先に消灯させる。【選択図】図２
2017140240.tif 000002
【特許請求の範囲】
【請求項１】
白色光源と、
青色光源と、
前記白色光源及び前記青色光源のそれぞれを一定の明るさで発光させる定常発光制御、並びに、前記定常発光制御の後に行われる減光制御であって、前記白色光源及び前記青色光源のそれぞれを減光する減光制御を行う制御部とを備え、
前記制御部は、前記減光制御において、前記青色光源を前記白色光源よりも先に減光開始させ、かつ、前記青色光源を、前記白色光源と同時または前記白色光源よりも先に消灯させる
発光装置。
【請求項２】
前記制御部は、
前記定常発光制御の前に行われる増光制御であって、前記白色光源及び前記青色光源のそれぞれを増光することにより一定の明るさに到達させる増光制御をさらに行い、
前記増光制御において、前記白色光源を、前記青色光源と同時、または、前記青色光源よりも先に点灯させ、かつ、前記白色光源を前記青色光源よりも先に一定の明るさに到達させる
請求項１に記載の発光装置。
【請求項３】
前記制御部は、前記定常発光制御において、前記白色光源が発する光の所定の照射位置における照度を、前記青色光源が発する光の前記所定の照射位置における照度よりも高くする
請求項１または２に記載の発光装置。
【請求項４】
前記制御部は、前記減光制御において、前記減光制御の開始から終了までの時間を１０分よりも短くする
請求項１〜３のいずれか１項に記載の発光装置。
【請求項５】
前記青色光源の発光ピーク波長は、４６０ｎｍ以上４８０ｎｍ以下である
請求項１〜４のいずれか１項に記載の発光装置。
【請求項６】
さらに、前記青色光源の発光色と補色の関係にある発光色を有する補色光源を備え、
前記制御部は、前記減光制御中に、所定の照射位置における、前記青色光源が発する光の照度に対する前記補色光源が発する光の照度の割合を、前記定常発光制御中よりも増やす
請求項１〜５のいずれか１項に記載の発光装置。
【発明の詳細な説明】
【技術分野】
【０００１】
本発明は、光施療などに用いられる発光装置に関する。
【背景技術】
【０００２】
従来、ＬＥＤなどの発光素子を用いた発光装置が様々な用途で使用されている。例えば、特許文献１には、歯科用光照射器が開示されている。また、ＰＭＳ（Ｐｒｅｍｅｎｓｔｒｕａｌ  Ｓｙｎｄｒｏｍｅ）の改善、うつ病の改善、及び、睡眠リズムの改善などに対して、青色光を照射可能な発光装置を用いた光施療が有効であることが知られている。
【先行技術文献】
【特許文献】
【０００３】
【特許文献１】特開２００６−２２３６８８号公報
【発明の概要】
【発明が解決しようとする課題】
【０００４】
発光装置が光施療などに用いられる場合、ユーザに与える違和感を低減することが課題である。 
【０００５】
本発明は、ユーザに与える違和感を低減することができる発光装置を提供する。
【課題を解決するための手段】
【０００６】
本発明の一態様に係る発光装置は、白色光源と、青色光源と、前記白色光源及び前記青色光源のそれぞれを一定の明るさで発光させる定常発光制御、並びに、前記定常発光制御の後に行われる減光制御であって、前記白色光源及び前記青色光源のそれぞれを減光する減光制御を行う制御部とを備え、前記制御部は、前記減光制御において、前記青色光源を前記白色光源よりも先に減光開始させ、かつ、前記青色光源を、前記白色光源と同時または前記白色光源よりも先に消灯させる。
【発明の効果】
【０００７】
本発明の発光装置によれば、ユーザに与える違和感を低減することができる。
【図面の簡単な説明】
【０００８】
【図１】図１は、実施の形態１に係る光施療装置の概要を示す図である。
【図２】図２は、実施の形態１に係る光施療装置の機能構成を示すブロック図である。
【図３】図３は、メラトニンのアクションスペクトルを示す図である。
【図４】図４は、実施の形態１に係る光施療装置の動作のフローチャートである。
【図５】図５は、動作例１における、光施療装置の照度の時間的変化を示す図である。
【図６】図６は、動作例２における、光施療装置の照度の時間的変化を示す図である。
【図７】図７は、動作例３における、光施療装置の照度の時間的変化を示す図である。
【図８】図８は、動作例４における、光施療装置の照度の時間的変化を示す図である。
【図９】図９は、実施の形態２に係る光施療装置の機能構成を示すブロック図である。
【図１０】図１０は、実施の形態２に係る光施療装置の照度の時間的変化を示す図である。
【発明を実施するための形態】
【０００９】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付しており、重複する説明は省略または簡略化される場合がある。
【００１１】
（実施の形態１）
［構成］
まず、実施の形態１に係る光施療装置の構成について説明する。図１は、実施の形態１に係る光施療装置の外観図である。図２は、実施の形態１に係る光施療装置の機能構成を示すブロック図である。
【００１２】
図１に示されるように、実施の形態１に係る光施療装置１０は、机上などに立設される、略円柱状の発光装置である。つまり、光施療装置１０は、発光装置の一例である。光施療装置１０は、青色光と白色光とが混ざった青白い光を発する。このような光が起床時または日中に被施療者（以下、ユーザと記載する）に照射されるこれにより、起床時または日中におけるユーザのメラトニンの分泌が抑制され、ＰＭＳの改善、うつ病の改善、及び、睡眠リズムの改善が図られる。
【００１３】
上記ＰＭＳ等の改善には、メラトニンの分泌を抑制する青色の単色光が照射されればよいが、光施療装置１０は、ユーザが施療中に読書などの作業ができるように、青色光と白色光とが混合された光を照射する。また、図１の例では、机上には、２つの光施療装置１０が設置されているが、光施療装置１０は、少なくとも１つ設置されればよい。
【００１４】
図２に示されるように、光施療装置１０は、光源部１１と、制御部１２と、記憶部１３と計時部１４とを備える。各構成要素について詳細に説明する。
【００１５】
光源部１１は、光施療装置１０の光源として機能する構成要素である。光源部１１は、具体的には、白色光源１１ｗと、青色光源１１ｂとを有する。
【００１６】
白色光源１１ｗは、白色光を発する光源であり、具体的には、白熱電球または蛍光灯などである。また、白色光源１１ｗは、ＬＥＤを用いた光源であってもよい。この場合、白色光源１１ｗは、ＣＯＢ（Ｃｈｉｐ  Ｏｎ  Ｂｏａｒｄ）型の発光モジュールであってもよいし、ＳＭＤ（Ｓｕｒｆａｃｅ  Ｍｏｕｎｔ  Ｄｅｖｉｃｅ）型の発光モジュールであってもよい。また、白色光源１１ｗは、リモートフォスファー型の発光モジュールであってもよい。
【００１７】
白色光源１１ｗが発する白色光は、黒体軌跡上の白色であってもよいし、黒体軌跡から外れた白色であってもよい。また、白色光源１１ｗが発する白色光の相関色温度も特に限定されない。
【００１８】
青色光源１１ｂは、青色光を発する光源である。青色光源１１ｂは、具体的には、青色ＬＥＤ、または、青色ＬＥＤを用いた発光モジュールであるが、青色光源１１ｂの具体的な態様は、特に限定されない。
【００１９】
青色光源１１ｂは、例えば、発光ピーク波長が４５０ｎｍ以上４９５ｎｍ以下の青色の単色光を発する。より効果的にメラトニンの分泌を抑制するために、青色光源１１ｂの発光ピーク波長は、４６０ｎｍ以上４８０ｎｍ以下であるとよい。図３は、メラトニンのアクションスペクトルを示す図である。図３は、縦軸の値が大きいほど、メラトニンの分泌を抑制する効果が大きいことを示す。図３に示されるように、メラトニンの分泌の抑制効果は、４６０ｎｍ以上４８０ｎｍ以下の波長範囲で良好である。
【００２０】
制御部１２は、光源部１１を制御する。制御部１２は、白色光源１１ｗ、及び、青色光源１１ｂを独立して制御可能である。つまり、制御部１２は、白色光源１１ｗのみを選択的に発光させて白色光を照射すること、及び、青色光源１１ｂのみを選択的に発光させて青色光を照射することが可能である。
【００２１】
また、制御部１２は、白色光の調光、及び、青色光の調光を行うことができる。制御部１２は、白色光と青色光とが任意の割合で混ざった発光色の光（青白い光）を照射することも可能である。制御部１２は、ＣＩＥ表色系などの色空間上で、白色光源１１ｗが発する白色光の座標と、青色光源１１ｂが発する青色光の座標とを結ぶ直線上の発光色を実現することができる。制御部１２は、ミレッジ関数などに基づいて発光色を変化させてもよい。
【００２２】
制御部１２は、例えば、光施療装置１０が外部電源から取得する交流電力を直流電力に変換するＡＣ−ＤＣコンバータ回路、ＤＣ−ＤＣコンバータ回路、及び、光源部１１の光出力を制御するためのＰＷＭ制御回路（調光回路）などから構成される。制御部１２は、プロセッサ、またはマイクロコンピュータなどによって構成されてもよい。
【００２３】
記憶部１３は、例えば、制御部１２にプロセッサまたはマイクロコンピュータなどが含まれる場合に、制御部１２が実行する制御プログラムが記憶される記憶装置である。記憶部１３は、例えば、半導体メモリによって実現される。
【００２４】
計時部１４は、光源部１１の光の照射時間の制御するために時間を計測する。計時部１４は、具体的には、タイマ回路、または、リアルタイムクロックＩＣなどであるが、どのような態様であってもよい。計時部１４が計測した時間を示す時間情報は、制御部１２に出力され、制御部１２は、計時部１４が計測した時間に応じて光源部１１による光の照射時間の制御を行う。
【００２５】
［動作例１］
次に、光施療装置１０の動作例１について説明する。図４は、光施療装置１０の動作のフローチャートである。図５は、動作例１における光施療装置１０の照度の時間的変化を示す図である。なお、図５に示される照度は、光施療装置１０から４０ｃｍ程度離れた所定の照射位置（図１に示されるユーザの位置）における照度であり、以下の説明においても同様である。図５では、縦軸及び横軸のスケールは模式的に示されており、必ずしも正確ではない。
【００２６】
白色光源１１ｗ及び青色光源１１ｂのそれぞれが消灯状態（照度がゼロ）であるときに、光施療装置１０の電源がオンされる。すると、制御部１２は、増光制御（増光モードの制御）を開始する（Ｓ１１）。増光制御は、定常発光制御の直前に行われる制御である。増光制御は、ユーザを定常発光制御の照度に慣らすために行われる。
【００２７】
制御部１２は、増光制御において、白色光源１１ｗ及び青色光源１１ｂのそれぞれを、時間をかけて徐々に増光する。つまり、増光制御において、制御部１２は、白色光源１１ｗが発する白色光の照度及び青色光源１１ｂが発する青色光の照度のそれぞれを漸次増やす。白色光の照度及び青色光の照度のそれぞれは、例えば、線形またはほぼ線形に増加するが、増加態様は特に限定されない。
【００２８】
図５に示されるように、動作例１の増光制御においては、制御部１２は、白色光源１１ｗを、青色光源１１ｂと同時に点灯させ、かつ、白色光源１１ｗを青色光源１１ｂと同時に一定の明るさに到達させる。白色光源１１ｗ及び青色光源１１ｂが点灯開始から一定の明るさに到達するまでの時間は、例えば、１０分程度である。つまり、増光制御は、１０分程度で終了する。
【００２９】
次に、制御部１２は、定常発光制御（定常発光モードの制御）を開始する（Ｓ１２）。定常発光制御は、光施療の主となる制御である。制御部１２は、定常発光制御において、白色光源１１ｗ及び青色光源１１ｂのそれぞれを一定の明るさ（照度）で発光させる。図５に示されるように、定常発光制御においては、白色光の照度は５０００ルクス程度、青色光の照度は２０００ルクス程度でそれぞれ一定である。
【００３０】
ここで、制御部１２は、定常発光制御において、白色光源１１ｗが発する光の所定の照射位置における照度を、青色光源１１ｂが発する光の所定の照射位置における照度よりも高くしている。これにより、ユーザが光施療を受けながら作業を行う際の視認性が向上される。動作例１では、定常発光制御が行われる期間は、点灯開始から１０分以降８０分が経過するまでの７０分間である。
【００３１】
次に、制御部１２は、減光制御（減光モードの制御）を開始する（Ｓ１３）。減光制御は、白色光源１１ｗ及び青色光源１１ｂのそれぞれが一定の明るさで発光しているとき、つまり、定常発光制御されているときに開始される。言い換えれば、減光制御は、定常発光制御の直後に行われる。減光制御は、定常発光制御が行われている状態が消灯状態になるまでにユーザが感じる違和感を低減するために行われる。
【００３２】
制御部１２は、減光制御において、白色光源１１ｗ及び青色光源１１ｂのそれぞれを、時間をかけて徐々に減光する。つまり、減光制御において、制御部１２は、白色光の照度及び青色光の照度のそれぞれを漸次減らす。白色光の照度及び青色光の照度のそれぞれは、例えば、線形またはほぼ線形に減少するが、減少態様は特に限定されない。減光制御の結果、白色光源１１ｗ及び青色光源１１ｂのそれぞれは、消灯される。減光制御は、４０分程度で終了する。
【００３３】
ここで、制御部１２は、減光制御において、青色光源１１ｂを白色光源１１ｗよりも先に減光開始させる。図５では、青色光源１１ｂは、点灯開始から８０分後に減光を開始し、白色光源１１ｗは、点灯開始から１００分後に減光を開始する。つまり、制御部１２は、減光制御において、青色光源１１ｂを白色光源１１ｗよりも２０分先に減光開始させる。
【００３４】
これにより、減光制御の開始当初に、青色光に対する白色光の割合が増えるため、自然な減光が実現される。白色光は、少し青みを帯びている白色光であっても、当該白色光で照明された環境に、ある程度の時間滞在している人にとっては、青みを帯びた白色光がほぼ白色光に見える。このような現象は、人間の眼の機能のなかで、発光色を白色に見せるように補正する働きによって生じ、これを色順応という。
【００３５】
上記のように白色光の割合を高めつつ減光を行うことで、色順応を利用して自然な減光が実現され、ユーザに与える違和感を低減することができる。逆に、減光制御の開始当初に、青色光に対する白色光の割合が減ってしまうと、青色光は、白色に対する色差が比較的大きい色であるため、ユーザは、発光色が青っぽくなったことを認識し、違和感を感じてしまう。
【００３６】
また、図５では、制御部１２は、減光制御において、青色光源１１ｂを白色光源１１ｗと同時に消灯させている。制御部１２は、具体的には、点灯開始から１２０分後に青色光源１１ｂと白色光源１１ｗとを同時に消灯させている。しかしながら、制御部１２は、青色光源１１ｂを白色光源１１ｗよりも先に消灯させてもよい。つまり、制御部１２は、減光制御において、青色光源１１ｂを、白色光源１１ｗと同時または白色光源１１ｗよりも先に消灯させる。
【００３７】
白色光源１１ｗが青色光源１１ｂよりも先に消灯されてしまうと、減光制御の終盤において、ユーザには、青色光のみが照射される。そうすると、減光制御の終了後に、ユーザの目には、青色光の補色である黄色の残像が残る。この現象は、補色残像と呼ばれる。
【００３８】
これに対し、青色光源１１ｂが、白色光源１１ｗと同時または白色光源１１ｗよりも先に消灯されれば、減光制御の終盤において、ユーザには、白色光または少し青みがかかった白色光が照射される。したがって、補色残像を低減することができ、ユーザに与える違和感を低減することができる。
【００３９】
また、減光制御においては、白色光に対する青色光の割合を経時的に減らしつつ、光源部１１の減光が行われる。これによっても補色残像が低減される。
【００４０】
［動作例２］
次に、光施療装置１０の動作例２について説明する。図６は、動作例２における光施療装置１０の照度の時間的変化を示す図である。図６では、縦軸及び横軸のスケールは模式的に示されており、必ずしも正確ではない。以下の説明では、動作例１と異なる点を中心に説明が行われ、重複する内容については説明が省略される。
【００４１】
動作例２の増光制御において、制御部１２は、白色光源１１ｗを青色光源１１ｂよりも先に一定の明るさに到達させる。図６では、白色光源１１ｗが発する白色光の照度は、点灯開始から１０分後に２０００ルクスに到達し、青色光源１１ｂが発する青色光の照度は、点灯開始から２０分後に５０００ルクスに到達する。つまり、制御部１２は、増光制御において、白色光源１１ｗを青色光源１１ｂよりも１０分先に一定の明るさに到達させる。
【００４２】
これにより、増光制御中に、定常発光制御中よりも発光色の青みが強くなることが抑制される。したがって、自然な増光が実現され、ユーザに与える違和感を低減することができる。
【００４３】
また、図６では、制御部１２は、増光制御において、青色光源１１ｂを白色光源１１ｗと同時に点灯させている。しかしながら、制御部１２は、白色光源１１ｗを青色光源１１ｂよりも先に点灯させてもよい。つまり、制御部１２は、増光制御において、白色光源１１ｗを、青色光源１１ｂと同時、または、青色光源１１ｂよりも先に点灯させるとよい。
【００４４】
青色光源１１ｂが白色光源１１ｗよりも先に点灯されてしまうと、増光制御の序盤において、ユーザには、青色光のみが照射される。そうすると、青色光は、白色に対する色差が比較的大きい色であるため、ユーザは、発光色が青っぽくなったことを認識し、違和感を感じてしまう。増光制御において、白色光源１１ｗを、青色光源１１ｂと同時、または、青色光源１１ｂよりも先に点灯させることにより、このような違和感を低減することができる。
【００４５】
なお、動作例２では、定常発光制御が行われる期間の長さは、４０分間であり、動作例１よりも短縮されている。そして、動作例２では、減光制御の開始が動作例１よりも早められている。図６では、青色光源１１ｂは、点灯開始から６０分後に減光を開始し、白色光源１１ｗは、点灯開始から１００分後に減光を開始する。つまり、制御部１２は、減光制御において、青色光源１１ｂを白色光源１１ｗよりも４０分先に減光開始させている。
【００４６】
このように、青色光源１１ｂの減光の開始タイミングがさらに早められることで、青色光源１１ｂが長い時間をかけて減光されるため、補色残像がさらに低減される。
【００４７】
［動作例３］
次に、光施療装置１０の動作例３について説明する。図７は、動作例３における光施療装置１０の照度の時間的変化を示す図である。図７では、縦軸及び横軸のスケールは模式的に示されており、必ずしも正確ではない。以下の説明では、動作例２と異なる点を中心に説明が行われ、重複する内容については説明が省略される。
【００４８】
動作例３では、定常発光制御中における青色光の照度が、動作例２に比べて減らされている。具体的には、白色光の照度が５０００ルクス程度であるのに対し、青色光の照度は２５０ルクス程度である。つまり、制御部１２は、定常発光制御において、白色光源１１ｗが発する光の所定の照射位置における照度を、青色光源１１ｂが発する光の所定の照射位置における照度の１０倍以上（具体的には、２０倍）にしている。
【００４９】
これにより、定常発光制御が行われているときに、ユーザが作業を行うときの視認性がさらに向上される。
【００５０】
［動作例４］
次に、光施療装置１０の動作例４について説明する。図８は、動作例４における光施療装置１０の照度の時間的変化を示す図である。図８では、縦軸及び横軸のスケールは模式的に示されており、必ずしも正確ではない。以下の説明では、動作例１〜３と異なる点を中心に説明が行われ、重複する内容については説明が省略される。
【００５１】
動作例４では、動作例１〜３に比べて定常発光制御が行われる時間が延長されている。図８では、定常発光制御が行われる期間の長さは、点灯開始から１０分以降１１５分が経過するまでの１０５分間である。
【００５２】
なお、光施療の全期間の長さは、動作例１〜３と同様に１２０分間である。定常発光制御が行われる期間が延長されている分、減光制御が行われる期間が短縮されている。減光制御が行われる期間は、５分間である。
【００５３】
このように、減光制御が行われる期間が短縮され、定常発光制御が行われる期間が延長されることにより、光施療の効果（メラトニンの分泌の抑制効果）を十分に得ることができる。また、定常発光制御が行われる期間が延長されれば、光施療の全期間の長さを短くすることもできる。
【００５４】
減光制御が行われる期間は、５分に限定されず、１０分よりも短ければよい。減光制御が行われる期間の長さは、光施療の全期間の長さの１０分の１以下であるとよい。これにより、光施療装置１０は、光施療の全期間の長さを短くすることができる。
【００５５】
なお、動作例４においても、制御部１２は、増光制御において、白色光源１１ｗを、青色光源１１ｂと同時に点灯させ、かつ、白色光源１１ｗを青色光源１１ｂよりも先に一定の明るさに到達させている。図８では、白色光源１１ｗが発する白色光の照度は、点灯開始から５分後に２０００ルクスに到達し、青色光源１１ｂが発する青色光の照度は、点灯開始から１０分後に５０００ルクスに到達する。
【００５６】
同様に、動作例４においても、制御部１２は、減光制御において、青色光源１１ｂを白色光源１１ｗよりも先に減光開始させ、かつ、青色光源１１ｂを、白色光源１１ｗと同時に消灯させている。図８では、青色光源１１ｂは、点灯開始から１１５分後に減光を開始し、白色光源１１ｗは、点灯開始から１１７．５分後に減光を開始する。
【００５７】
［実施の形態１の効果等］
以上説明したように、光施療装置１０は、白色光源１１ｗと、青色光源１１ｂと、制御部１２とを備える。光施療装置１０は、発光装置の一例である。制御部１２は、白色光源１１ｗ及び青色光源１１ｂのそれぞれを一定の明るさで発光させる定常発光制御、並びに、定常発光制御の後に行われる減光制御であって、白色光源１１ｗ及び青色光源１１ｂのそれぞれを減光する減光制御を行う。制御部１２は、減光制御において、青色光源１１ｂを白色光源１１ｗよりも先に減光開始させ、かつ、青色光源１１ｂを、白色光源１１ｗと同時または白色光源１１ｗよりも先に消灯させる。
【００５８】
これにより、減光制御中に、発光色の青みが強くなることが抑制される。したがって、自然な減光が実現され、補色残像などの違和感を低減することができる。
【００５９】
また、制御部１２は、定常発光制御の前に行われる増光制御であって、白色光源１１ｗ及び青色光源１１ｂのそれぞれを増光することにより一定の明るさに到達させる増光制御をさらに行ってもよい。制御部１２は、増光制御において、白色光源１１ｗを、青色光源１１ｂと同時、または、青色光源１１ｂよりも先に点灯させ、かつ、白色光源１１ｗを青色光源１１ｂよりも先に一定の明るさに到達させてもよい。
【００６０】
これにより、増光制御中に、発光色の青みが強くなることが抑制される。したがって、自然な増光が実現され、ユーザに与える違和感を低減することができる。
【００６１】
また、制御部１２は、定常発光制御において、白色光源１１ｗが発する光の所定の照射位置における照度を、青色光源１１ｂが発する光の所定の照射位置における照度よりも高くしてもよい。
【００６２】
これにより、ユーザが光施療を受けながら作業を行う際の視認性が向上される。
【００６３】
また、制御部１２は、減光制御において、減光制御の開始から終了までの時間を１０分よりも短くしてもよい。
【００６４】
これにより、制御部１２は、定常発光制御が行われる期間を長くすることができる。定常発光制御が長い期間行われることで、光施療の効果（メラトニンの分泌の抑制効果）を十分に得ることができる。また、定常発光制御が行われる期間が延長されれば、光施療の全期間の長さを短くすることもできる。
【００６５】
また、青色光源１１ｂの発光ピーク波長は、４６０ｎｍ以上４８０ｎｍ以下であってもよい。
【００６６】
これにより、メラトニンの分泌の抑制効果が十分に得られるため、光施療装置１０は、ユーザのＰＭＳ等を効果的に改善することができる。
【００６７】
（実施の形態２）
［構成］
次に、実施の形態２に係る光施療装置の構成について説明する。図９は、実施の形態２に係る光施療装置の機能構成を示すブロック図である。実施の形態２では、実施の形態１と異なる点を中心に説明が行われ、重複する内容については説明が省略される。
【００６８】
図９に示されるように、実施の形態２に係る光施療装置１０ａが備える光源部１１ａは、補色光源１１ｙをさらに有する点が光施療装置１０と異なる。
【００６９】
補色光源１１ｙは、青色光源１１ｂの発光色と補色の関係にある発光色を有する。補色光源１１ｙは、具体的には、青色と補色の関係にある黄色光を発する光源である。補色光源１１ｙは、具体的には、黄色ＬＥＤ、または、黄色ＬＥＤを用いた発光モジュールであるが、補色光源１１ｙの具体的な態様は、特に限定されない。補色光源１１ｙは、例えば、発光ピーク波長が５７０ｎｍ以上５９０ｎｍ以下の黄色の単色光を発する。
【００７０】
制御部１２は、光源部１１ａを制御する。制御部１２は、白色光源１１ｗ、青色光源１１ｂ、及び補色光源１１ｙを独立して制御可能である。例えば、制御部１２は、補色光源１１ｙのみを選択的に発光させて黄色光を照射することが可能である。また、制御部１２は、白色光、青色光、及び、黄色光が任意の割合で混ざった光を照射することも可能である。
【００７１】
［動作例］
次に、光施療装置１０ａの動作例について説明する。図１０は、光施療装置１０ａの照度の時間的変化を示す図である。図６では、縦軸及び横軸のスケールは模式的に示されており、必ずしも正確ではない。以下の説明では、実施の形態１の動作例１と異なる点を中心に説明が行われ、重複する内容については説明が省略される。
【００７２】
図１０に示される動作例では、光施療の全期間を通じて、補色光源１１ｙが点灯されている点が動作例１と異なる。
【００７３】
増光制御において、制御部１２は、補色光源１１ｙを、時間をかけて徐々に増光する。つまり、増光制御において、制御部１２は、補色光源１１ｙが発する黄色光の照度を漸次増やす。黄色光の照度は、例えば、線形またはほぼ線形に増加するが、増加態様は特に限定されない。補色光源１１ｙは、白色光源１１ｗ及び青色光源１１ｂと同時に一定の明るさに到達し、補色光源１１ｙが一定の明るさに到達するまでの時間は、例えば、１０分程度である。
【００７４】
増光制御に続く、定常発光制御において、制御部１２は、補色光源１１ｙを一定の明るさ（照度）で発光させる。定常発光制御において、黄色光の照度は２５０ルクス程度で一定である。定常発光制御が行われる期間の長さは、７０分程度である。
【００７５】
定常発光制御に続く、減光制御の前期において、制御部１２は、まず、黄色光の照度を高める。つまり、制御部１２は、減光制御中に、所定の照射位置における、青色光源１１ｂが発する光の照度に対する補色光源１１ｙが発する光の照度の割合を、定常発光制御中よりも増やす。
【００７６】
これにより、青色光と黄色光とが相殺され、光源部１１ａが発する光の青色がやわらげられる。したがって、ユーザに与える違和感を低減することができる。
【００７７】
減光制御の中期及び後期においては、制御部１２は、補色光源１１ｙを、時間をかけて徐々に減光する。つまり、制御部１２は、黄色光の照度を漸次減らした後、補色光源１１ｙを消灯する。図１０では、補色光源１１ｙは、白色光源１１ｗ及び青色光源１１ｂと同時に消灯される。減光制御が行われる期間の長さは、例えば、４０分程度である。
【００７８】
なお、制御部１２は、減光制御中に、所定の照射位置における、青色光源１１ｂが発する光の照度に対する補色光源１１ｙが発する光の照度の割合を、定常発光制御中よりも増やせばよい。例えば、制御部１２は、減光制御中のみ補色光源１１ｙを点灯させてもよい。
【００７９】
［実施の形態２の効果等］
以上説明したように、光施療装置１０ａは、さらに、青色光源１１ｂの発光色と補色の関係にある発光色を有する補色光源１１ｙを備えてもよい。制御部１２は、減光制御中に、所定の照射位置における、青色光源１１ｂが発する光の照度に対する補色光源１１ｙが発する光の照度の割合を、定常発光制御中よりも増やしてもよい。
【００８０】
これにより、減光制御中に、発光色の青みが強くなることが抑制される。したがって、自然な減光が実現され、補色残像などの違和感を低減することができる。
【００８１】
（その他の実施の形態）
以上、実施の形態について説明したが、本発明は、上記実施の形態に限定されない。
【００８２】
例えば、上記実施の形態で説明された光の照射時間は、一例である。例えば、光施療の全期間は、１２０分であるとして説明が行われたが、光施療の全期間は、２０〜３０分程度である場合もあり、特に限定されない。
【００８３】
また、例えば、上記実施の形態では、本発明の発光装置が、光施療装置として実現される例について説明されたが、本発明の発光装置は、シーリングライト、ダウンライト、またはデスクスタンドなどの照明装置として実現されてもよい。つまり、本発明は、光施療専用の装置として実現されなくてもよい。
【００８４】
また、上記実施の形態で説明された光源部の構成は、一例である。光源部には、蛍光管、メタルハライドランプ、ナトリウムランプ、ハロゲンランプ、キセノンランプ、または、ネオン管等が用いられてもよい。また、光源部には、無機エレクトロルミネッセンス、有機エレクトロルミネッセンス、ケミルミネッセンス（化学発光）、または、半導体レーザー等が使用されてもよい。また、光源部は、分光フィルター等によって所望の色の光を発してもよい。光源部は、所望の色の光を発することができるのであれば、特に限定されない。
【００８５】
また、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。例えば、本発明は、発光装置の制御方法として実現されてもよいし、発光装置の制御方法をコンピュータに実行させるためのプログラムとして実現されてもよいし、上記実施の形態に係る光施療装置として実現されてもよい。また、上記実施の形態の制御部のみが独立した制御装置として実現されるような場合、本発明は、制御装置として実現されてもよい。
【００８６】
また、上記実施の形態において、制御部などの構成要素の全部または一部は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８７】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００８８】
１０、１０ａ  光施療装置（発光装置）
１１ｂ  青色光源
１１ｗ  白色光源
１１ｙ  補色光源
１２  制御部
【図１】
2017140240.tif 000003
【図２】
2017140240.tif 000004
【図３】
2017140240.tif 000005
【図４】
2017140240.tif 000006
【図５】
2017140240.tif 000007
【図６】
2017140240.tif 000008
【図７】
2017140240.tif 000009
【図８】
2017140240.tif 000010
【図９】
2017140240.tif 000011
【図１０】
2017140240.tif 000012